(57)【要約】【課題】ディスプレイ装置用複合フィルムおよびこれを含むディスプレイ装置に関する。【解決手段】ベースフィルム210と、ベースフィルム210の第１面に形成され、外部光を反射を防止するための反射防止層212と、第１面と対向する第２面に形成され、一面に複数の外光遮蔽部で成された外光遮蔽パターンを具備した外光遮蔽層250と、外光遮蔽層250上に形成され、選択的な波長吸収機能を有する少なくとも１種の色素を含有した粘着層260とを含むディスプレイ装置用複合フィルムを提供する。前記した複合フィルムは、磁波遮蔽、外光吸収、近赤外線遮蔽、反射防止、色補正などの機能を同時に有しており、ディスプレイ装置の製造工程の単純化かつ薄型化に寄与することができる。【選択図】図２
2008146073.tif 000002
【特許請求の範囲】
【請求項１】
ベースフィルムと、
前記ベースフィルムの第１面に形成され、外部光の反射を防ぐための反射防止層と、
前記第１面と対向する第２面に形成され、一面に複数の外光遮蔽部で成された外光遮蔽パターンを具備した外光遮蔽層と、
前記外光遮蔽層上に形成され、選択的な波長吸収機能を有する少なくとも１種の色素を含んだ粘着層と
を含むディスプレイ装置用複合フィルム。
【請求項２】
前記ベースフィルムが、ポリエチレンテレフタレート樹脂で成されたことを特徴とする請求項１に記載のディスプレイ装置用複合フィルム。
【請求項３】
前記反射防止層が、高屈折率物質および低屈折率物質が順次に繰り返されるように構成されていることを特徴とする請求項１に記載のディスプレイ装置用複合フィルム。
【請求項４】
前記外光遮蔽部が、前記粘着層と対向する外光遮蔽層の一面に形成されていることを特徴とする請求項１に記載のディスプレイ装置用複合フィルム。
【請求項５】
前記外光遮蔽部が、楔形の断面を有しており、導電性物質を含むことを特徴とする請求項１に記載のディスプレイ装置用複合フィルム。
【請求項６】
前記導電性物質が、導電性高分子を含むことを特徴とする請求項５に記載のディスプレイ装置用複合フィルム。
【請求項７】
前記導電性高分子が、ポリチオフェン、ポリピロール、ポリアニリン、ポリ（３、４−エチレンジオキシチオフェン）、ポリ（３−アルキルチオフェン）、ポリイソチアナフテン、ポリ（ｐ−フェニレンビニレン）、ポリ（ｐ−フェニレン）、およびこれらの誘導体で成された群から選択された少なくとも１つの高分子を含むことを特徴とする請求項６に記載のディスプレイ装置用複合フィルム。
【請求項８】
前記導電性高分子が、炭素ナノチューブ、酸化銅、酸化インジウムスズで成された群から選択された少なくとも１つの物質を含むことを特徴とする請求項６に記載のディスプレイ装置用複合フィルム。
【請求項９】
前記外光遮蔽パターンが、所定の距離で相互離隔しており、ストライプ形状を有する複数の外光遮蔽部で成されたことを特徴とする請求項１に記載のディスプレイ装置用複合フィルム。
【請求項１０】
前記外光遮蔽パターンが、互いに直交する複数の外光遮蔽部を含むことによって、メッシュ形状を有することを特徴とする請求項１に記載のディスプレイ装置用複合フィルム。
【請求項１１】
前記粘着層が、近赤外線吸収色素を含むことを特徴とする請求項１に記載のディスプレイ装置用複合フィルム。
【請求項１２】
前記近赤外線吸収色素が、コバルト系色素、鉄系色素、クロム系色素、チタン系色素、ジイモニウム系色素、アントラキノン系色素、アミニウム系色素、ポリメチン系色素、アゾ系色素、およびジチオール系金属錯体系色素で成された群から選択された少なくとも１つの色素を含むことを特徴とする請求項１１に記載のディスプレイ装置用複合フィルム。
【請求項１３】
前記ディスプレイ装置用複合フィルムが、
前記粘着層上に形成された導電層と、
前記導電層上に形成された透明基材と、
をさらに含むことを特徴とする請求項１に記載のディスプレイ装置用複合フィルム。
【請求項１４】
前記導電層には、導電性金属パターンが形成されていることを特徴とする請求項１３に記載のディスプレイ装置用複合フィルム。
【請求項１５】
前記導電層が、金属酸化物を含むことを特徴とする請求項１３に記載のディスプレイ装置用複合フィルム。
【請求項１６】
前記透明基材が、ガラスであることを特徴とする請求項１３に記載のディスプレイ装置用複合フィルム。
【請求項１７】
ｉ）互いに対応するように結合した前面基板と背面基板と、前記前面基板と背面基板との間に配置された多数のセルとを含むパネルアセンブリと、
ｉｉ）前記前面基板上に配置され、
ベースフィルムと、
前記ベースフィルムの第１面に形成され、外部光の反射を防ぐための反射防止層と、
前記第１面と対向する第２面に形成され、一面に複数の外光遮蔽部で成された外光遮蔽パターンを具備した外光遮蔽層と、
前記外光遮蔽層上に形成され、選択的な波長吸収機能を有する少なくとも１種の色素を含んだ粘着層と、
を含むディスプレイ装置用複合フィルムを含むディスプレイ装置。
【請求項１８】
前記複合フィルムが、前記粘着層によって前記前面基板と結合していることを特徴とする請求項１７に記載のディスプレイ装置。
【請求項１９】
前記外光遮蔽パターンが、前記パネルアセンブリに向かうように前記外光遮蔽層の一面に形成されていることを特徴とする請求項１８に記載のディスプレイ装置。
【発明の詳細な説明】
【技術分野】
【０００１】
本発明は、ディスプレイ装置用複合フィルムおよびこれを含むディスプレイ装置に関し、より詳細には、電磁波遮蔽、外光吸収、近赤外線遮蔽、反射防止、色補正などの機能を同時に有しており、ディスプレイ装置に採用される場合にディスプレイ装置の厚さを減少させるディスプレイ装置用複合フィルムおよびこれが採用されたディスプレイ装置に関する。
【背景技術】
【０００２】
現代社会の高度情報化に伴い、光エレクトロニクス（ｐｈｏｔｏ−ｅｌｅｃｔｒｏｎｉｃｓ）に関連する部品および機器が著しく進歩し普及している。その中でも、画像を表示するディスプレイ装置は、テレビ装置用やパソコンモニタ装置用などとして普及しながら、ディスプレイの大型化とともに薄型化が進められている。
【０００３】
一般的に、プラズマディスプレイパネル（以下、ＰＤＰとする）装置は、既存のディスプレイ装置を代表する陰極線管（以下、ＣＲＴとする）に比べて大型化および薄型化を同時に満たすことができ、次世代ディスプレイ装置として脚光を浴びている。このようなＰＤＰ装置は、ガス放電現象を用いて画像を表示するものであって、表示容量、輝度、コントラスト、残像、視野角などの各種表示能力に優れている。また、ＰＤＰ装置は、他の表示装置に比べて大型化が容易であるだけでなく、薄型の発光型表示装置として、今後の高品質デジタルテレビとして最適な特性を備えていると評価されており、ＣＲＴを代替するディスプレイ装置として注目されている。
【０００４】
ＰＤＰ装置は、電極に印加される直流または交流電圧によって電極間のガスから放電が発生し、これに伴う紫外線の放射によって蛍光体を励起させることで発光するようになる。
【０００５】
しかし、ＰＤＰ装置は、その駆動の特性上、電磁波および近赤外線の放出量が多くて蛍光体の表面反射が高いだけでなく、封入ガスであるヘリウム（Ｈｅ）やキセノン（Ｘｅ）から放出されるオレンジ光によって色純度がＣＲＴに及ばないという短所がある。
【０００６】
したがって、ＰＤＰ装置から発生する電磁波および近赤外線によって人体に有害な影響を及ぼす上に、無線電話機やリモコンなどの精密機器に誤作動を誘発する恐れもある。
【０００７】
このようなＰＤＰ装置を用いるためには、ＰＤＰ装置から放出される電磁波と近赤外線の放出を所定の値以下に抑制することが求められている。このため、電磁波および近赤外線を遮蔽すると同時に反射光を減少させて色純度を向上させるために、電磁波遮蔽、近赤外線遮蔽、光表面反射防止、および／または色純度改善などの機能を有するＰＤＰフィルタを採用している。
【０００８】
ここで、従来のＰＤＰフィルタは、それぞれの機能性フィルムを備えることにより、ＰＤＰフィルタの薄型傾向の障害となっている。
【特許文献１】特許公開第２００４−６９９３１号公報
【特許文献２】大韓民国特許公開第２００６−００３２２４６号公報
【発明の開示】
【発明が解決しようとする課題】
【０００９】
本発明は、前記のような問題点を解決するために案出されたものであって、複合機能を実行することで、ディスプレイ装置の厚さを減少させるだけでなく、ディスプレイ装置の明室条件におけるコントラスト比および視認性を向上させるディスプレイ装置用複合フィルムを提供することを目的とする。
【００１０】
また、本発明は、ディスプレイ装置用複合フィルムを含むディスプレイ装置を提供することを目的とする。
【課題を解決するための手段】
【００１１】
本発明の一実施形態に係るディスプレイ装置用複合フィルムは、ベースフィルムと、前記ベースフィルムの第１面に形成され、外部光の反射を防ぐための反射防止層と、前記第１面と対向する第２面に形成され、一面に複数の外光遮蔽部で成された外光遮蔽パターンを具備した外光遮蔽層と、前記外光遮蔽層上に形成され、選択的な波長吸収機能を有する少なくとも１種の色素を含有した粘着層とを含む。
【００１２】
前記外光遮蔽部は、楔形の断面を有しており、導電性物質を含むことによって、電磁波遮蔽機能を実行するようになる。
【００１３】
前記外光遮蔽パターンは、多数のストライプ形状またはメッシュ形状を有するようになる。
【００１４】
また、前記粘着層は、近赤外線吸収色素を含むことによって、パネルアセンブリから発生する近赤外線を遮蔽することができる。
【００１５】
本発明の一実施形態に係るディスプレイ装置は、パネルアセンブリおよびディスプレイ装置用複合フィルムを含む。
【００１６】
前記パネルアセンブリは、互いに対応するように結合された前面基板と背面基板と、前記前面基板と背面基板との間に配置された多数のセルとを含む。また、前記複合フィルムは、前記前面基板上に配置されたベースフィルムと、前記ベースフィルムの第１面に形成され、外部光の反射を防ぐための反射防止層と、前記第１面と対向する第２面に形成され、一面に複数の外光遮蔽部で成された外光遮蔽パターンを具備した外光遮蔽層と、前記外光遮蔽層上に形成され、選択的な波長吸収機能を有する少なくとも１種の色素を含んだ粘着層とを含む。
【００１７】
前記複合フィルムは、前記粘着層によって前記前面基板と結合することを特徴とする。
【発明の効果】
【００１８】
上述したように、本発明に係るディスプレイ装置用複合フィルムは、ＰＤＰなどのディスプレイ装置に適用され、電磁波遮蔽、外光遮蔽、近赤外線遮蔽、反射防止、色補正などの複合機能を実行することができる。
【００１９】
これにより、複合フィルムをディスプレイ装置に適用する場合には、ディスプレイ装置の製造工程を単純化させるだけでなく、ディスプレイ装置の厚さを減少させることもできる。
【００２０】
また、外光遮蔽層を備えることで、ディスプレイ装置の明室コントラスト比を向上させ、ディスプレイ装置の表示品質を極大化させることができる。
【発明を実施するための最良の形態】
【００２１】
以下、添付の参照して、本発明について詳細に説明する。特に、ＰＤＰ装置を例示して説明する。
【００２２】
図１は、本発明の一実施形態に係るＰＤＰ装置を概略的に示した分解斜視図である。
【００２３】
図１を参照すれば、本発明の実施形態に係るＰＤＰ装置１００は、ケース１１０の上部を覆うカバー１５０と、ケース１１０内に収容される駆動回路基板１２０と、ガス放電現象が起こる発光セルを含むパネルアセンブリ１３０と、ＰＤＰフィルタ１４０とで構成される。ＰＤＰフィルタ１４０は、透明基板上に導電性が優れた材料で形成された導電層が具備されており、該導電層は、カバー１５０を介してケース１１０に接地される。すなわち、パネルアセンブリ１３０から発生した電磁波が視聴者に到達する前に、これをＰＤＰフィルタ１４０の導電層を介してカバー１５０とケース１１０に接地させるのである。
【００２４】
ＰＤＰフィルタ１４０としては、以下で説明するディスプレイ装置用複合フィルムを用いることができる。また、本発明に係るディスプレイ装置用複合フィルムは、ＰＤＰフィルタ１４０の一構成フィルムとして含まれるようになる。
【００２５】
図２は、本発明の一実施形態に係るディスプレイ装置用複合フィルムを示した断面図である。
【００２６】
図２を参照すれば、複合フィルム２００は、ベースフィルム２１０と、反射防止層２１２と、外光遮蔽層２５０と、粘着層２６０とを含む。
【００２７】
ベースフィルム２１０としては、ポリエチレンテレフタレート（ＰｏｌｙＥｔｈｙｌｅｎｅ  Ｔｅｒｅｐｈｔｈａｌａｔｅ）、アクリル（Ａｃｒｙｌ）、ポリカーボネート（Ｐｏｌｙｃａｂｏｎａｔｅ）、ウレタンアクリレート（Ｕｒｅｔｈａｎｅ  Ａｃｒｙｌａｔｅ）、ポリエステル（Ｐｏｌｙｅｓｔｅｒ）、エポキシアクリレート（Ｅｐｏｘｙ  Ａｃｒｙｌａｔｅ）、ブロモアクリレート（Ｂｒｏｍｉｎａｔｅ  Ａｃｒｙｌａｔｅ）などの透明樹脂を用いることができる。このような透明樹脂は、単独または２つ以上の組み合わせで用いられるようになる。
【００２８】
反射防止層２１２は、外部から入射する光による反射を防ぐものである。反射防止層２１２は、高屈折率物質および低屈折率物質が順次に積層されて形成されるようになる。
【００２９】
外光遮蔽層２５０は、基材２２０と、基材の一面に複数の外光遮蔽部２３２が含まれた外光遮蔽パターン２３０とが形成されている。
【００３０】
基材は、紫外線硬化樹脂などで成される。外光遮蔽層２５０を製造するためには、まず、紫外線硬化樹脂などをベースフィルム２１０上に塗布して硬化させて基材２２０を形成する。形成された基材２２０上には、熱プレス法、キャスティング法、射出成形法、ＵＶ法などを用いて所定の形状の溝を形成する。溝内部には、外光遮蔽物質などを充填することによって、外光遮蔽パターン２３０が完成するようになる。
【００３１】
外光遮蔽パターン２３０は、所定の距離で相互離隔しており、ストライプ形状を有する複数の外光遮蔽部２３２を含む。各外光遮蔽部２３２の離隔距離は、一定であることが好ましい。
【００３２】
本実施形態において、外光遮蔽部２３２は、楔形の断面を有しており、平面上から見ればストライプ形状を有している。したがって、外光遮蔽パターン２３０は、複数のストライプで成された線形パターンを有するようになる。
【００３３】
外光遮蔽部２３２は、カーボンブラックなどの外光吸収物質だけでなく、導電性物質も含む。したがって、外光遮蔽部２３２は、電磁波遮蔽性能を有するようになる。すなわち、外光遮蔽層は、外光吸収による明室コントラスト比の向上だけでなく、電磁波を効果的に遮蔽することもできる。
【００３４】
外光遮蔽部２３２は、基材２２０のいずれの面にも形成することができるが、本実施形態では、粘着層２６０と接する基材２２０の一面に形成されている。
【００３５】
導電性物質は、導電性高分子を含むようになる。
【００３６】
導電性高分子としては、ポリチオフェン（ｐｏｌｙｔｈｉｏｐｈｅｎｅ）、ポリピロール（ｐｏｌｙｐｙｒｒｏｌｅ）、ポリアニリン（ｐｏｌｙａｎｉｌｉｎｅ）、ポリ（３、４−エチレンジオキシチオフェン）（ｐｏｌｙ（３、４−ｅｔｈｙｌｅｎｅｄｉｏｘｙｔｈｉｏｐｈｅｎｅ））、ポリ（３−アルキルチオフェン（ｐｏｌｙ（３−ａｌｋｙｌｔｈｉｏｐｈｅｎｅ））、ポリイソチアナフテン（ｐｏｌｙｉｓｏｔｈｉａｎａｐｈｔｈｅｎｅ）、ポリ（ｐ−フェニレンビニレン）（ｐｏｌｙ（ｐ−ｐｈｅｎｙｌｅｎｅｖｉｎｙｌｅｎｅ））、ポリ（ｐ−フェニレン）（ｐｏｌｙ（ｐ−ｐｈｅｎｙｌｅｎｅ））などを用いることができるし、これらの誘導体を用いることもできる。このような導電性高分子は、単独または２つ以上の組み合わせで用いられるようになる。
【００３７】
また、導電性物質としては、炭素ナノチューブ、酸化銅、酸化インジウムスズ（ＩＴＯ）などを挙げることができる。
【００３８】
外光遮蔽パターン２３０は、電磁波遮蔽性能を向上させるために、メッシュ形状で形成されることもできる。すなわち、外光遮蔽パターン２３０は、互いに直交する複数の外光遮蔽部２３２を含む。
【００３９】
粘着層２６０は、粘着樹脂と、近赤外線遮蔽、色補正などの機能を実行するために選択的な波長吸収機能を有する少なくとも１種の色素とを含む。
【００４０】
粘着樹脂としては、アクリル系列の樹脂を用いることができるが、特に限定されるものではない。また、色素は、粘着樹脂固形分１００重量部に対して０．１ないし２０重量部で含まれるのが好ましい。
【００４１】
特に、近赤外線を吸収するための色素としては、コバルト系色素、鉄系色素、クロム系色素、チタン系色素、ジイモニウム系色素、アントラキノン系色素、アミニウム系色素、ポリメチン系色素、アゾ系色素、ジチオール系金属錯体系色素などを用いることができる。このような色素は、単独または２つ以上の組み合わせで用いられるようになる。
【００４２】
また、オレンジ色系列の波長を吸収できる色素をさらに含むこともできる。
【００４３】
図３は、本発明の他の実施形態に係るディスプレイ装置用複合フィルムを示した断面図である。図３のディスプレイ装置用複合フィルムは、導電層および透明基材を除いては図２の複合フィルムと同じであるため、重複する説明は省略する。
【００４４】
図３を参照すれば、複合フィルム３００は、ベースフィルム３１０と、反射防止層３１２と、外光遮蔽層３５０と、粘着層３６０と、導電層３７０と、透明基材３８０とを含む。
【００４５】
本実施形態に係る複合フィルム３００は、主に独立的なフィルタとして機能するという用途を念頭に置いたものである。一方、図２の複合フィルム２００は、パネルアセンブリに直に付着したり、他の機能性フィルムと結合したりする用途として用いられるのが有用であろう。
【００４６】
外光遮蔽層３５０は、基材３２０と、基材３２０の一面に複数の外光遮蔽部３３２を含む外光遮蔽パターン３３０とが形成されている。
【００４７】
導電層３７０は、外光遮蔽層３５０による電磁波遮蔽性能を補うものである。
【００４８】
導電層３７０には、導電性金属パターンが含まれるようになる。これは、メッシュタイプの電磁波遮蔽層と類似した機能を実行するようになる。これとは異なり、導電層３７０は、ＩＴＯなどの金属酸化物を含む金属酸化物膜で構成されることもできる。
【００４９】
透明基材３８０は、複合フィルム３００を保護する機能を実行するものであり、複合フィルム３００が単品で用いられるようにする。
【００５０】
前記透明基材３８０としては、ガラスなどの材質が用いられるようになる。
【００５１】
図２および図３で説明したディスプレイ装置用複合フィルム２００、３００は、ＰＤＰなどのディスプレイ装置に適用されるようになる。
【００５２】
特に、図２のディスプレイ装置用複合フィルム２００は、粘着層２６０を媒介としてパネルアセンブリ（図示せず）の一面と接合するようになる。すなわち、直接付着用としての使用が可能である。
【００５３】
図３のディスプレイ装置用複合フィルム３００は単一的なフィルタであって、パネルアセンブリ（図示せず）の一面と離隔するものの、単純な配置での使用が可能である。
【００５４】
特に、複合フィルム２００、３００がＰＤＰディスプレイ装置に適用される場合に、外光遮蔽層２５０、３５０に形成された外光遮蔽部２３２、２５２は、パネルアセンブリ方向に向かうように基材２２０、３２０の一面に形成されることが好ましい。
【００５５】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【図面の簡単な説明】
【００５６】
【図１】本発明の一実施形態に係るＰＤＰ装置を概略的に示した分解斜視図である。
【図２】本発明の一実施形態に係るディスプレイ装置用複合フィルムを示した断面図である。
【図３】本発明の他の実施形態に係るディスプレイ装置用複合フィルムを示した断面図である。
【符号の説明】
【００５７】
１００：ＰＤＰ装置
１１０：ケース
１２０：駆動回路基板
１３０：パネルアセンブリ
１４０：ＰＤＰフィルタ
１５０：カバー
２００、３００：複合フィルム
２１０、３１０：ベースフィルム
２１２、３１２：反射防止層
２２０、３２０：基材
２３０、３３０：外光遮蔽パターン
２３２、３３２：外光遮蔽部
２５０、３５０：外光遮蔽層
２６０：粘着層
３７０：導電層
３８０：透明基材
【図１】
2008146073.tif 000003
【図２】
2008146073.tif 000004
【図３】
2008146073.tif 000005